(57)【要約】【課題】衛生的な使用をすることができるソフトアウターブーツを提供する。【解決手段】インナーブーツ４等の保健または衛生用付属具が挿入されるブーツ１の内部に耐水性材料からなる裏打ち部５０を設けた。裏打ち部５０は、上開口１１に沿って背面部１０に内貼りされており、かつ、靴底部２０と足甲部３０とに連設されている。裏打ち部５０を備えているので、ブーツ１の内部が濡れた場合に、ブーツ１の内面を乾拭きする程度で済む。したがって、ソフトアウターブーツ１の上開口１１からブーツ１内へ雪等の水が浸入したときに、ブーツ１を長時間かけて乾かす必要がない。【選択図】図１
0003206673.tif 000002
【実用新案登録請求の範囲】
【請求項１】
保健または衛生用付属具を有するソフトアウターブーツであって、
前記保健または衛生用付属具が挿入されるブーツ内に耐水性材料からなる裏打ち部を備えていることを特徴とするソフトアウターブーツ。
【請求項２】
上開口を有する背面部と、
該背面部に連結されている靴底部と、
該靴底部と前記背面部とに連結されている足甲部とを備えており、
前記裏打ち部は、前記上開口に沿って前記背面部に内貼りされており、かつ、前記靴底部と前記足甲部とに連設されていることを特徴とする請求項１記載のソフトアウターブーツ。
【請求項３】
ブーツ外部は、防水性材料で形成されていることを特徴とする請求項１又は２に記載のソフトアウターブーツ。
【考案の詳細な説明】
【技術分野】
【０００１】
本考案は、保健または衛生用付属具を有するスノーボード用ブーツ、防寒靴、登山靴等のソフトアウターブーツに関する。
【背景技術】
【０００２】
この種のソフトアウターブーツとしては、足を支持する部品を有するものが知られている。
【０００３】
本考案者は、足を支持する部品として、一体型のインナーブーツを提案している。これは、アウターブーツ内に取外し可能に挿入する熱可塑性プラスチックからなるインナーブーツであって、アウターブーツ内に配設される底板部と、この底板部に形成された足包部とを備えている。そして、その底板部と足包部は一体的に形成されており、その熱可塑性プラスチックの材料はエチレン酢酸ビニル共重合体材料（ＥＶＡ）を含有させたものである（特許文献１）。
【先行技術文献】
【特許文献】
【０００４】
【特許文献１】特開２０１６−４９４３１号公報
【０００５】
特許文献１に記載のインナーブーツによれば、アウターブーツから取り外して容易に洗うことができ、衛生的な使用をすることができる。
【考案の概要】
【考案が解決しようとする課題】
【０００６】
この特許文献１に記載のインナーブーツが提案されたことにより、ソフトアウターブーツにおいても衛生上の問題を解決する要求が存在する。例えばソフトアウターブーツの上側から雪等の水分が入り込むと、内側の布地等を乾かす作業に時間がかかるため、この手間のかかる作業を嫌い、衛生上の問題が生じるおそれがあった。
【０００７】
そこで本考案は、上記のような問題点に着目してなされたものである。その目的とするところは、衛生的な使用をすることができるソフトアウターブーツを提供することにある。
【課題を解決するための手段】
【０００８】
本考案のソフトアウターブーツは、保健または衛生用付属具を有するソフトアウターブーツであって、前記保健または衛生用付属具が挿入されるブーツ内に耐水性材料からなる裏打ち部を備えていることを特徴としている。
【０００９】
また、本考案のソフトアウターブーツにおいて、上開口を有する背面部と、該背面部に連結されている靴底部と、該靴底部と前記背面部とに連結されている足甲部とを備えており、前記裏打ち部は、前記上開口に沿って前記背面部に内貼りされており、かつ、前記靴底部と前記足甲部とに連設されていることを特徴としている。
【００１０】
さらに、本考案のソフトアウターブーツにおいて、ブーツ外部は、防水性材料で形成されていることを特徴としている。
【考案の効果】
【００１１】
本考案の請求項１記載のソフトアウターブーツによれば、ブーツ内に耐水性材料からなる裏打ち部を備えているので、耐水性を有し、衛生的な使用をすることができるという効果を奏する。
【００１２】
本考案の請求項２記載のソフトアウターブーツによれば、請求項１記載のソフトアウターブーツの奏する効果に加えて、裏打ち部は、上開口に沿って背面部に内貼りされており、かつ、靴底部と足甲部とに連設されているので、上側から雪等の水分が入り込んだ場合にブーツへのしみ込みを防止できるという効果を奏する。
【００１３】
本考案の請求項３記載のソフトアウターブーツによれば、請求項１又は２に記載のソフトアウターブーツの奏する効果に加えて、ブーツ外部が防水性材料で形成されているので、防水性に優れるという効果を奏する。
【図面の簡単な説明】
【００１４】
【図１】ソフトアウターブーツを示す側面図
【図２】図１におけるA−A要部拡大断面図
【考案を実施するための形態】
【００１５】
（第１実施形態）
以下、本考案を具体化した第１実施形態を図１乃至図２に基づいて説明する。
【００１６】
ソフトアウターブーツとしてのスノーボード用ブーツ１は、二重構造になっているブーツ外側部分であり、ブーツ内に保健または衛生用付属具としてのインナーブーツ４を装着して使用される。スノーボード用ブーツ１は、図１に示すように、背面部１０と、靴底部２０と、足甲部３０と、紐締付部４０と、裏打ち部５０とを備えている。
【００１７】
背面部１０は、踵から脹脛までをサポートするブーツ背面部分であり、つま先付近まで延設されている。背面部１０は、足を入れるための上開口１１と前開口１２を有し、一部分に通気性部材１３を備えている。このため、ブーツ内の空気の循環がよく、部分的に足への通気をよくすることができる。そして、背面部１０の下端面に靴底部２０が連結して設けられている。
【００１８】
靴底部２０は、スノーボード用ブーツ１の裏底部分であり、ゴム又は合成樹脂製で形成されている。靴底部２０は、つま先付近で足甲部３０が連結して設けられており、その他の部分で背面部１０が連結して設けられている。
【００１９】
足甲部３０は、足の甲から脛にかけてサポートする部分であり、前開口１２付近で背面部１０と重なり合うように構成されている。この前開口１２付近の背面部１０及び足甲部３０には、紐締付部４０が形成されている。紐締付部４０は、ボア  テクノロジー  インコーポレイテッド社の紐かけシステムが採用されている。
【００２０】
裏打ち部５０は、耐水性材料からなり、スノーボード用ブーツ１に内張りされて形成されている。本実施形態では、耐水性材料として、ポリウレタン樹脂を用いた。裏打ち部５０は、ブーツ１の内部に接合され、一部分で背面部１０の上開口１１から外側に延設して接合されている上開口縁５１を有し、図２に示すように、背面部１０に内貼りされている。そして、裏打ち部５０は、背面部１０から靴底部２０に連続して内張りされ、さらに足甲部３０に連設されている。
【００２１】
つまり、裏打ち部５０は、スノーボード用ブーツ１の背面部１０、靴底部２０及び足甲部３０の裏面に連続して接合され、内張りされている。さらに、裏打ち部５０は、足甲部３０の両側に沿って接合されている前開口縁５３を有し、この前開口縁５３に所定長さの余裕部を有して背面部１０に連設されている。これにより、前開口１２からの雪等の水分が侵入することを防止できる。
【００２２】
裏打ち部５０は、背面部１０、靴底部２０及び足甲部３０の裏面に、所定の大きさの耐水性材料からなるシート材が裏打ちされ、連続してブーツ１の全内面に接合されて形成されている。
【００２３】
以上詳述した第１実施形態のスノーボード用ブーツ１によれば、次のような効果が発揮される。
耐水性材料からなる裏打ち部５０を備えているので、ブーツ１の内側から水を吸ったり、水によって変質したりすることを防止できる。このため、上開口１１から雪等の水がブーツ内に浸入した場合に、ブーツ本体を長時間かけて乾かす必要はない。この場合は、ブーツ１の内面を乾拭きすればよい。したがって、迅速かつ容易にメンテナンスができ、衛生的な使用をすることができる。
【００２４】
また、裏打ち部５０は、上開口縁５１を有し、上開口１１に沿って背面部１０に内貼りされるとともに、靴底部２０に連続して内張りされ、足甲部３０に連設されているので、各部間に水がしみこむ隙間はなく、そこからのブーツ1への水のしみこみを防止できる。
【００２５】
なお、ブーツ１の素材表面に防水加工を施してもよい。
【００２６】
（第２実施形態）
次に、第２実施形態について説明する。
第２実施形態は、スノーボード用ブーツ１の背面部１０、靴底部２０及び足甲部３０が、防水性材料で形成されている。なお、第１実施形態と異なる部分のみ説明する。
【００２７】
背面部１０及び足甲部３０は、防水性材料としてポリ塩化ビニル樹脂製で形成されている。裏打ち部５０は、前開口縁５３に沿って防水性シール部材が設けられている。
【００２８】
以上説明した第２実施形態のスノーボード用ブーツ１によれば、次のような効果が発揮される。
【００２９】
第２実施形態のスノーボード用ブーツ１によれば、ブーツ１の背面部１０、靴底部２０及び足甲部３０が防水性材料で形成されているので、ブーツ１の内部の耐水性に加えて防水性を有し、ブーツ１の外部から内部への水のしみこみを防止できる。このため、ブーツ本体を乾かす手間が更にかからない。水分を蒸発させる程度で済む。このような構成としたので、防水性に優れ、さらに衛生的な使用ができる。
【００３０】
（他の実施形態）
なお、前記実施形態を次のように変更して構成することもできる。
例えば、裏打ち部５０の耐水性材料は、熱可塑性ポリウレタン、ポリエチレン、ポリプロピレンであってもよい。
【００３１】
第２実施形態においては、防水性材料としてポリ塩化ビニル樹脂を用いた場合を説明したが、何らこれに限定されるものではなく、他の防水性材料で形成されていてもよい。
【００３２】
背面部１０は、防水性材料からなる防水背面部と、防水性通気材料からなる通気性背面部とを備えていてもよい。
【００３３】
本考案のソフトアウターブーツは、スノーボード用ブーツのほか、防寒靴、登山靴の用途に用いることができる。
【符号の説明】
【００３４】
１・・・スノーボード用ブーツ（ソフトアウターブーツ），４・・・インナーブーツ（保健または衛生用付属具），１０・・・背面部，１１・・・上開口，１２・・・前開口，１３・・・通気性部材，２０・・・靴底部，３０・・・足甲部，４０・・・紐締付部，５０・・・裏打ち部，５１・・・上開口縁，５３・・・前開口縁
【図１】
0003206673.tif 000003
【図２】
0003206673.tif 000004